(57)【要約】【課題】  ケーブルテレビ配信を受けるユーザーに対しても正しくプリセット登録が可能で視聴のできる放送受信機を提供する。【解決手段】  設定された周波数の放送電波を検出したときに受信して復調するチューナー部１１と、地域毎に放送局及びケーブルテレビ局の周波数がそれぞれ格納された記憶部１４と、入力部１６の操作に基づいて地域を確認したとき、その地域の放送局の周波数を記憶部１４から読み出してチューナー部１１に設定し、この設定により放送局の放送電波が受信されたときは、該当する周波数を記憶部１４に登録し、放送電波が受信されなかった周波数が一つでもあったとき、同一地域のケーブルテレビ局の周波数を記憶部１４から読み出してチューナー部１１に設定し、この設定によりケーブルテレビ局の配信信号が受信されたときは、該当する周波数を記憶部１４に登録する制御部１５とを備えた。【選択図】        図１
2006080719.tif 000002
【特許請求の範囲】
【請求項１】
設定された周波数情報に基づいて放送信号を検索し、その周波数情報に基づいた放送信号を検出したときに受信して復調する信号受信手段と、
復調された受信信号から映像・音声データ及び他のデータに分離する分離手段と、
地域毎に放送局及びケーブルテレビ局の周波数情報がそれぞれ格納された記憶手段と、
地域を特定するための入力手段と、
該入力手段の操作に基づいて地域を確認したとき、その地域の放送局の周波数情報を前記記憶手段から読み出して前記信号受信手段に設定し、この設定により放送局の放送信号が受信されたときは、該当する周波数情報を前記記憶手段に登録する第１の制御手段と、
放送信号が受信されなかった周波数情報が一つでもあったとき、同一地域のケーブルテレビ局の周波数情報を前記記憶手段から読み出して前記信号受信手段に設定し、この設定によりケーブルテレビ局の放送信号が受信されたときは、該当する周波数情報を前記記憶手段に登録する第２の制御手段と
を備えていることを特徴とする放送受信機。
【請求項２】
前記記憶手段に地域毎にデジタル放送局及びデジタルケーブルテレビ局の周波数情報がそれぞれ格納され、
前記分離手段により分離された前記他のデータに周波数情報が存在するかを解析し、その周波数情報を検出したときに読み込む解析手段と、
前記入力手段により特定された地域のデジタル放送局の周波数情報を前記記憶手段から読み出して前記信号受信手段に設定し、この設定によりデジタル放送の信号が受信されたときは、該当する周波数情報を前記記憶手段に登録する第３の制御手段と、
前記第３の制御手段により周波数情報が登録されたとき、前記解析手段により読み込まれた周波数情報と同一かどうかを判定し、その結果を通知する第４の制御手段と、
デジタル放送の信号が受信されなかった周波数情報が一つでもあったとき、或いは前記第４の制御手段からの通知が双方の周波数が異なる旨であったとき、同一地域のデジタルケーブルテレビ局の周波数情報を前記記憶手段から読み出して前記信号受信手段に設定し、この設定によりデジタル放送の信号が受信されたときは、該当する周波数情報を前記記憶手段に登録する第５の制御手段と
を備えていることを特徴とする請求項１記載の放送受信機。
【発明の詳細な説明】
【技術分野】
【０００１】
本発明は、テレビジョン受像機やＶＴＲ等の放送受信機に関するものである。
【背景技術】
【０００２】
従来のテレビジョン受像機やＶＴＲ等の放送受信機は、ユーザーが新規に購入して初めて使用するときや、引っ越し等で放送局が以前と異なるような場合、その地域で視聴できる放送局の周波数を放送受信機にプリセット登録する必要がある。受信周波数をプリセット登録するためには、予め決められた一つの範囲内で周波数を順に変更して受信可能な周波数を探す方法と、ユーザーに居住地域を入力させて工場出荷時に予め登録されている居住地域毎のチャンネル情報（チャンネル番号や周波数等）を読み出して、その情報をプリセット登録する方法がある（例えば、特許文献１参照）。
【特許文献１】特開平１０−２５７４０２（第５頁、図１、２、図４）
【発明の開示】
【発明が解決しようとする課題】
【０００３】
ところで、例えば、電波受信状況が悪くアンテナを立てた状態での視聴が困難な状況を改善する場合や、地上波放送以外のＢＳ放送やＣＳ放送の視聴希望を実現したいためにケーブルテレビ配信に加入した場合、ケーブル配信で視聴できる周波数と放送受信機に予め登録されている居住地域毎のチャンネル情報とは必ずしも一致しないため、居住地域毎のチャンネル情報を使用したプリセット登録では正常に視聴できないことがあった。
【０００４】
本発明は、前記のような課題を解決するためになされたもので、ケーブルテレビ配信を受けるユーザーに対しても正しくプリセット登録が可能で視聴のできる放送受信機を提供することを目的とする。
【課題を解決するための手段】
【０００５】
本発明に係る放送受信機は、設定された周波数情報に基づいて放送信号を検索し、その周波数情報に基づいた放送信号を検出したときに受信して復調する信号受信手段と、復調された受信信号から映像・音声データ及び他のデータに分離する分離手段と、地域毎に放送局及びケーブルテレビ局の周波数情報がそれぞれ格納された記憶手段と、地域を特定するための入力手段と、入力手段の操作に基づいて地域を確認したとき、その地域の放送局の周波数情報を記憶手段から読み出して信号受信手段に設定し、この設定により放送局の放送信号が受信されたときは、該当する周波数情報を記憶手段に登録する第１の制御手段と、放送信号が受信されなかった周波数情報が一つでもあったとき、同一地域のケーブルテレビ局の周波数情報を記憶手段から読み出して信号受信手段に設定し、この設定によりケーブルテレビ局の放送信号が受信されたときは、該当する周波数情報を記憶手段に登録する第２の制御手段とを備えたものである。
【発明の効果】
【０００６】
本発明によれば、入力手段の操作に基づいて地域を確認したとき、その地域の放送局の周波数情報を記憶手段から読み出して信号受信手段に設定し、この設定により放送局の放送信号が受信されたときは、該当する周波数情報を記憶手段に登録し、放送信号が受信されなかった周波数情報が一つでもあったときは、同一地域のケーブルテレビ局の周波数情報を記憶手段から読み出して信号受信手段に設定し、この設定によりケーブルテレビ局の放送信号が受信されたときは、該当する周波数情報を記憶手段に登録するようにしたので、ケーブルテレビ配信を受けているユーザーにも正しくプリセット登録を行うことができ、ケーブルテレビの番組放送を視聴することが可能になるという効果がある。
【発明を実施するための最良の形態】
【０００７】
実施の形態１．
図１は本発明の実施の形態１に係る放送受信機の概略構成を示すブロック図、図２は全国の地域毎の放送局の周波数情報の一例を示す図、図３は全国の地域毎のケーブルテレビ局の周波数情報の一例を示す図である。
図１において、放送受信機１０は、例えばテレビジョン受像機の受信機で、放送局２０或いは放送中継局２１からの放送電波２２を通じて番組放送を受信し、また、ケーブルテレビ局３０からのケーブル配信信号３１を受信する。放送中継局２１は、放送局２０からの放送電波２２が直接届かない地域への中継を行う装置である。ケーブルテレビ局３０は、放送局２０からの放送電波２２或いは放送中継局２１からの放送電波２２を受信して再生し、その再生した番組放送を加入者へ配信する。
【０００８】
前述した放送受信機１０は、チューナー部１１（信号受信手段）と、分離部１２と、復号再生部１３と、記憶部１４と、制御部１５と、入力部１６とを備えている。チューナー部１１は、制御部１５によって設定された周波数（周波数情報）の放送電波２２或いはケーブルテレビ配信信号３１を受信し、復調して分離部１２へ送出する。また、設定された周波数の放送電波２２或いはケーブルテレビ配信信号３１を受信したときその旨を制御部１５に通知する。分離部１２は、チューナー部１１によって復調された信号から映像・音声データと他のデータとに分離する。復号再生部１３は、映像・音声データを復号し、図示せぬ表示部に映像と音声を出力する。
【０００９】
記憶部１４には、図２に示すように、全国の地方名、地方毎の県名、県毎の市町村名が格納され、また、市町村（地域）毎に受信可能な放送局名（Ａ放送局、Ｂ放送局…）、周波数帯域（ＶＨＦ、ＵＨＦ）及びチャンネル（１ｃｈ、３ｃｈ…）が第１の周波数情報として格納され、さらに、図３に示すように地域毎にサービスを受けることが可能なケーブルテレビ局名（ケーブルテレビＡ局、Ｂ局…）及び周波数帯域（ＶＨＦ、ＭＩＤ…）が第２の周波数情報として格納されている。また、制御部１５が本受信機１０を正常に動作させるために必要な各種データが格納されている。第１及び第２の周波数情報、各種データは、工場出荷前に書き込まれたものである。入力部１６は、電源入／切、チャンネルの選択、ＶＴＲの録画予約等を操作するためのリモコンである。
【００１０】
制御部１５は、入力部１６からのプリセット登録の指示を検知したとき、まず全国の地方名を表示部に表示し、地方名が指定されたときはその地方の各県名を表示し、さらに県名が指定されたときはその県の各市町村名を表示し、市町村名が指定されたときは居住地域の確認完了と判断して、その居住地域に設定された第１の周波数情報を記憶部１４から読み出して放送局毎に周波数を抽出してチューナー部１１に設定し、この周波数を設定する毎にチューナー部１１から同一周波数の検出通知を受けたとき、該当する周波数を記憶部１４にプリセット登録をする第１の制御手段と、受信できない周波数が１つでもあったとき、同一の居住地域に設定された第２の周波数情報を記憶部１４から読み出してケーブルテレビ局の周波数を低い周波数から順に抽出してチューナー部１１に設定し、チューナー部１１から同一周波数の検出通知を受けたときは、該当する周波数を記憶部１４にプリセット登録をする第２の制御手段とを有している。なお、プリセット登録後は、入力部１６のチャンネル操作に基づいて周波数のデータを記憶部１４から読み込み、チューナー部１１に設定してその周波数の放送を受信させる。
【００１１】
次に、図４乃至図６を用いて実施の形態１の放送受信機における受信周波数のプリセット時の動作について説明する。図４はＭ市内の各放送局から送信されている放送電波の周波数の配置例を示す図、図５は同市内のケーブルテレビＣ局から配信されているケーブル配信信号の周波数の配置例を示す図、図６は実施の形態１の放送受信機における受信周波数のプリセット時の動作を示すフローチャートである。
【００１２】
放送受信機１０の制御部１５は、入力部１６からの受信周波数のプリセット指示を検知すると、ユーザーの居住地域の確認を行う（Ｓ１）。まず、全国の地方名を表示部（図示せず）に表示し、入力部１６により例えば「関東」が指定されたときはその地方の各県名を表示し、さらに各県名から例えば「茨城」が指定されたときはその県の各市町村名を表示し、各市町村名から例えばＭ市が指定されたときは居住地域の確認を完了する（図２参照）。この時、居住地域（Ｍ市）の第１の周波数情報を記憶部１４から読み出して最初のＡ放送局の周波数を抽出し（Ｓ２）、チューナー部１１に設定する（Ｓ３）。そして、チューナー部１１から同一周波数の検出通知があったかどうかを判定し（Ｓ４）、検出通知がなかったときはＳ６に進むが、チューナー部１１から同一周波数の検出通知を受けたときは、Ａ放送局の周波数を記憶部１４にプリセット登録する（Ｓ５）。その後、Ｍ市内の第１の周波数情報の周波数を全て確認したかどうかを判定し（Ｓ６）、全ての周波数を確認したときはＳ８へ進むが、全て確認していないときは、第１の周波数情報の中から次のＢ放送局の周波数を抽出して（Ｓ７）、チューナー部１１に設定する（Ｓ３）。
【００１３】
Ｍ市内では、例えば図４に示すように、ＶＨＦ帯域に５つの周波数、ＵＨＦ帯域に２つの周波数があるため、Ｇ放送局の周波数を確認するまでＳ３からＳ７の動作を繰り返し行う。この動作を繰り返し行っているときに、Ｓ６において第１の周波数情報の周波数を全て確認すると、第１の周波数情報の中に未検出の周波数があったかどうかを判定する（Ｓ８）。未検出の周波数がなかったときは、Ｍ市内の全放送局の周波数を記憶部１４にプリセット登録したと判断して、前述した一連の動作を終了する。
【００１４】
また、未検出の周波数があったときは、ケーブルテレビ配信を受信している可能性があると判断して、同地域（Ｍ市）のケーブルテレビＣ局の第２の周波数情報に含まれている周波数のうち最も低い周波数を抽出し（Ｓ９）、チューナー部１１に設定する（Ｓ１０）。そして、チューナー部１１から同一周波数の検出通知があったかどうかを判定し（Ｓ１１）、検出通知がなかったときはＳ１４に進むが、チューナー部１１から同一周波数の検出通知を受けたときは、受信周波数と判断して記憶部１４にプリセット登録する（Ｓ１２）。その後、Ｍ市内のケーブルテレビＣ局の周波数を全て確認したかどうかを判定し（Ｓ１５）、ケーブルテレビＣ局の全周波数を確認したときは、ケーブルテレビＣ局の周波数のプリセット登録を終了するが、全て確認していないときは、次の周波数を第２の周波数情報から抽出し（Ｓ１４）、チューナー部１１に設定する（Ｓ３）。Ｍ市内では、例えば図５に示すように、ＭＩＤ帯域に２つの周波数、ＵＨＦ帯域に５つの周波数があるため、ケーブルテレビＣ局で最も高い周波数を確認するまでＳ１０からＳ１５の動作を繰り返し行う。この動作を繰り返し行ううちに、Ｓ１５においてＭ市内のケーブルテレビＣ局の周波数を全て確認したときは、ケーブルテレビＣ局の周波数のプリセット登録を終了する。
【００１５】
以上のように実施の形態１によれば、プリセット登録を行うために居住地域の第１の周波数情報の周波数を使用して放送電波の有無を確認し、放送電波を検出できなかった周波数が１つでもあるときは、第２の周波数情報に登録された一つ以上の周波数範囲内でサーチを行うようにしたため、ケーブルテレビ配信を受けているユーザーにも正しくプリセット登録を行うことができ、ケーブルテレビの番組放送を視聴することが可能になるという効果がある。
【００１６】
実施の形態２．
本実施の形態２は、図１に示す実施の形態１の放送受信機に解析部を加えて地上デジタル放送、ＢＳ及びＣＳデジタル放送（以下、単に「デジタル放送」という。）の周波数のプリセット登録を可能にしたものである。図７は本発明の実施の形態２に係る放送受信機の概略構成を示すブロック図、図８はデジタル放送で配信されるネットワーク情報の内訳を示す図である。なお、図１で説明した実施の形態１と同一又は相当部分には同じ符号を付し説明を省略する。
【００１７】
実施の形態２の放送受信機は、チューナー部１１（信号受信手段）と、分離部１２と、復号再生部１３と、記憶部１４と、制御部１５と、入力部１６と、解析部１７（解析手段）とを備えている。この解析部１７は、分離部１２によって分離された他のデータ（映像・音声データ除く）にネットワーク情報ＮＩＴ（Network Information Table ）が存在するかどうかを解析し、その情報を検出したときはＮＩＴに記載されている周波数データ（周波数情報）を抽出し制御部１５に通知する。
【００１８】
前述したネットワーク情報ＮＩＴは、図８に示すように「デジタル放送に使用する番組配列情報  標準規格  ＡＲＩＢ  ＳＴＤ−Ｂ１０  第６章  番組配列情報のデータ構造」に記載されたデジタル放送（地上デジタル放送やＢＳ及びＣＳデジタル放送）において、番組の映像・音声データと同時に配信されている他データに含まれた情報で、この情報には、放送局が放送する周波数が記載されている。なお、デジタル放送がケーブルテレビで配信されても書き換わることはない。
【００１９】
記憶部１４には、実施の形態１で述べたように、全国の地方名、地方毎の県名、県毎の市町村名が格納され、市町村（地域）毎に受信可能な放送局名（Ａ放送局、Ｂ放送局…）、周波数帯域（ＶＨＦ、ＵＨＦ）及びチャンネル（１ｃｈ、３ｃｈ…）が第１の周波数情報として格納され、また、地域毎にサービスを受けることが可能なケーブルテレビ局名（ケーブルテレビＡ局、Ｂ局…）及び周波数帯域（ＶＨＦ、ＭＩＤ…）が第２の周波数情報として格納されている。さらに、市町村（地域）毎に受信可能なデジタル放送局名、周波数帯域（周波数情報）及びチャンネルが第３の周波数情報として格納され、地域毎にサービスを受けることが可能なデジタルケーブルテレビ局名及び周波数帯域（周波数情報）が第４の周波数情報として格納されている。また、実施の形態１で述べたように、制御部１５が本受信機１０を正常に動作させるために必要な各種データが格納されており、第１及び第２の周波数情報並びに第３及び第４の周波数情報、各種データは、工場出荷前に書き込まれたものである。
【００２０】
制御部１５は、前述した第１及び第２の制御手段に加えて、入力部１６により特定された居住地域のデジタル放送局の第３の周波数情報を記憶部１４から読み出して周波数を抽出してチューナー部１１に設定し、この設定によりデジタル放送の電波が受信されたときは、該当する周波数を記憶部１４にプリセット登録する第３の制御手段と、受信周波数が登録されたとき、解析部１７により検出された周波数と同一かどうかを判定し、その結果を通知する第４の制御手段と、デジタル放送の電波が受信されなかった周波数が一つでもあったとき、或いは第４の制御手段の通知が双方の周波数が異なる旨であったとき、同一地域のデジタルケーブルテレビ局の第４の周波数情報を記憶部１４から読み出して周波数を抽出してチューナー部１１に設定し、この設定によりデジタル放送の信号が受信されたときは、該当する周波数を記憶部１４にプリセット登録する第５の制御手段とを備えている。
【００２１】
次に、実施の形態２の放送受信機におけるデジタル放送の受信周波数のプリセット時の動作を図９に示すフローチャートに基づいて説明する。
放送受信機１０の制御部１５は、入力部１６からのデジタル放送の受信周波数のプリセット指示を検知すると、ユーザーの居住地域の確認を行う（Ｓ１）。前述した実施の形態１と同様に、ユーザーの指定に応じて居住地域の市町村名が確定すると、その居住地域の第３の周波数情報を記憶部から読み出してデジタル放送の周波数を抽出し（Ｓ２）、チューナー部１１に設定する（Ｓ３）。そして、チューナー部１１から同一周波数の検出通知があったかどうかを判定し（Ｓ４）、検出通知がなかったときはＳ６に進むが、チューナー部１１から同一周波数の検出通知を受けたときは、デジタル放送の周波数を記憶部１４にプリセット登録する（Ｓ５）。一方、解析部１７は、分離部１２によって分離された他のデータにネットワーク情報ＮＩＴが存在するかどうかを解析しており、その情報を検出したときはＮＩＴに記載されている周波数データを抽出して制御部１５に通知する。制御部１５は、解析部１７からの周波数データが入ってきたとき、その周波数データと記憶部１４にプリセット登録した周波数とが同じかどうかを判定する（Ｓ５ａ）。双方の周波数が異なっているときは、ケーブルテレビ局からの配信を受信している可能性があると判断してＳ９に進むが、周波数が同一のときは、デジタル放送の周波数を受信したと判断して同一地域の第３の周波数情報の周波数を全て確認したかどうかを判定する（Ｓ６）。全ての周波数を確認したときはＳ８へ進むが、全て確認していないときは、第３の周波数情報の中から次の周波数を抽出して（Ｓ７）、チューナー部１１に設定する（Ｓ３）。
【００２２】
前述したＳ３からＳ７の動作を繰り返し行っているときに、Ｓ６において第３の周波数情報の周波数を全て確認したと判断すると、第３の周波数情報の中に未検出の周波数があったかどうかを判定する（Ｓ８）。未検出の周波数があったときは、ケーブルテレビ配信を受信している可能性があると判断してＳ９へ進むが、未検出の周波数がなかったときは、第３の周波数情報の全周波数を記憶部１４にプリセット登録したと判断して、前述した一連の動作を終了する。
【００２３】
また、Ｓ３からＳ７の動作を繰り返し行っているときに、Ｓ５ａにおいてＮＩＴに記載の周波数データと異なっていると判断すると、ケーブルテレビ配信を受信している可能性があると判断して、同地域のデジタルケーブルテレビ局の第４の周波数情報に含まれている周波数のうち最も低い周波数を抽出し（Ｓ９）、チューナー部１１に設定する（Ｓ１０）。そして、チューナー部１１から同一周波数の検出通知があったかどうかを判定し（Ｓ１１）、検出通知がなかったときはＳ１４に進むが、チューナー部１１から同一周波数の検出通知を受けたときは、受信周波数と判断して記憶部１４にプリセット登録する（Ｓ１２）。その後、第４の周波数情報の中の全周波数を確認したかどうかを判定し（Ｓ１５）、全ての周波数を確認したときは、デジタルケーブルテレビ局の周波数のプリセット登録を終了するが、全て確認していないときは、次の周波数を第４の周波数情報から抽出し（Ｓ１４）、チューナー部１１に設定する（Ｓ３）。このＳ１０からＳ１５の動作を繰り返し行ううちに、Ｓ１５において第４の周波数情報の周波数を全て確認したと判断したとき、デジタル放送の受信周波数のプリセット登録を終了する。
【００２４】
以上のように、プリセット登録を行うために居住地域毎の第３の周波数情報を使用してデジタルの放送電波の有無を確認し、でじたる放送局が放送する周波数と異なるものがあるときは、ケーブルテレビ配信が使用する周波数帯域に記載された第４の周波数情報を使用してサーチを行うようにしたため、ケーブルテレビ配信を受けているユーザーにも正しくプリセット登録を行うことができ、ケーブルテレビの番組放送を視聴することが可能になるという効果がある。
【図面の簡単な説明】
【００２５】
【図１】本発明の実施の形態１に係る放送受信機の概略構成を示すブロック図である。
【図２】全国の地域毎の放送局の周波数情報の一例を示す図である。
【図３】全国の地域毎のケーブルテレビ局の周波数情報の一例を示す図である。
【図４】Ｍ市内の各放送局から送信されている放送電波の周波数の配置例を示す図である。
【図５】同市内のケーブルテレビＣ局から配信されているケーブル配信信号の周波数の配置例を示す図である。
【図６】実施の形態１の放送受信機における受信周波数のプリセット時の動作を示すフローチャートである。
【図７】本発明の実施の形態２に係る放送受信機の概略構成を示すブロック図である。
【図８】デジタル放送で配信されるネットワーク情報の内訳を示す図である。
【図９】実施の形態２の放送受信機におけるデジタル放送の受信周波数のプリセット時の動作を示すフローチャートである。
【符号の説明】
【００２６】
１０  放送受信機、１１  チューナー部、１２  分離部、１３  復号再生部、１４  記憶部、１５  制御部、１６  入力部、１７  解析部、２０  放送局、２１  放送中継局、２２  放送電波、３０  ケーブルテレビ局、３１  ケーブル配信信号。
【図１】
2006080719.tif 000003
【図２】
2006080719.tif 000004
【図３】
2006080719.tif 000005
【図４】
2006080719.tif 000006
【図５】
2006080719.tif 000007
【図６】
2006080719.tif 000008
【図７】
2006080719.tif 000009
【図８】
2006080719.tif 000010
【図９】
2006080719.tif 000011